(57)【要約】【課題】  無駄な方向への照明をなくし、必要とする所望の領域に対して選択的に照明することのできる照明装置を得る。【解決手段】  照明方向を自在に変更可能な照明装置１００であって、複数の発光ダイオードをベース上に配設した発光部、発光部の光出射側に複数の発光ダイオードのそれぞれに対応して設けられ発光ダイオードの発光面が焦点位置となる放物面からなる第１反射部、及び第１反射部のさらに光出射側に発光ダイオードを挟んで発光ダイオードの並び方向に対して平行に一対配列され、発光ダイオードからの光を光出射側に向けて反射する平板状の反射面を有する第２反射部を備えた光源部１５と、光源部１５を一端側に支持するアーム１７と、アーム１７の他端側を回動自在に支持する光源支持部１３とを備える。【選択図】図１
2007066658.tif 000002
【特許請求の範囲】
【請求項１】
照明方向を自在に変更可能な照明装置であって、
複数の発光ダイオードをベース上に配設した発光部、前記発光部の光出射側に前記複数の発光ダイオードのそれぞれに対応して設けられ前記発光ダイオードの発光面が焦点位置となる放物面からなる第１反射部、及び前記第１反射部のさらに光出射側に前記発光ダイオードを挟んで前記発光ダイオードの並び方向に対して平行に一対配列され、前記発光ダイオードからの光を光出射側に向けて反射する平板状の反射面を有する第２反射部を備えた光源部と、
前記光源部を一端側に支持するアームと、
前記アームの他端側を回動自在に支持する光源支持部と、
を具備することを特徴とする照明装置。
【請求項２】
前記光源部と該光源部を支持する前記アームからなるランプユニットが、前記光源支持部に複数本支持されたことを特徴とする請求項１記載の照明装置。
【請求項３】
前記光源部が前記アームの軸線に対して回動自在に支持され、該光源部の回動によって光の照射方向を可変にしたことを特徴とする請求項１又は請求項２記載の照明装置。
【請求項４】
前記光源部の周囲を囲んで形成され前記光出射側に透光窓を有するケーシングを備えたことを特徴とする請求項１〜請求項３のいずれか１項記載の照明装置。
【請求項５】
前記光源部と前記アームとを着脱自在に接続するジョイントを備えたことを特徴とする請求項１〜請求項４のいずれか１項記載の照明装置。
【請求項６】
前記第１反射部と前記第２反射部の少なくともいずれかの反射面が、なし地状に形成されたことを特徴とする請求項１〜請求項５のいずれか１項記載の照明装置。
【発明の詳細な説明】
【技術分野】
【０００１】
本発明は、ＬＥＤを光源として備えた照明装置に関する。
【背景技術】
【０００２】
従来の照明装置、とりわけ街路灯等に用いられる屋外用の照明装置としては、高輝度放電灯である水銀ランプ、高圧ナトリウムランプ、メタルハライドランプ等の高輝度の光源が使用されており、道路や駐車場等の施設周辺に広く設置されている。また、屋内用としては、蛍光灯、白熱灯等が室内灯として広く使用されている。
【０００３】
【特許文献１】特開２００３−１００１１１号公報
【発明の開示】
【発明が解決しようとする課題】
【０００４】
しかし、その照明形態は必ずしも目的にかなったものではなく、無駄の多い形態が多いのが現状である。例えば、本来照明が必要な地上に照明光が到達することなく、夜空を無駄に照らしている街路灯が多々存在する。そのため、街路灯の光源からの光の大半が有効に利用されず、漏れ光となって付近の建物を照らすことがある。住宅の窓が照らされるような場合には、窓から寝室や居間の中に照明光が入り込むために、わざわざ遮光カーテンやブラインドを下ろさなければならない。また、発光する光源そのものが直接目に見える構造とされている街路灯がある。このような照明下では近くを通る人や車を運転する人に眩しさを与え、視認性を大きく阻害している。
これに対し、近年、少ない発光ダイオードを用いて広い面を発光させることができる街灯装置が開発されている。例えば特許文献１に開示される街灯装置は、光源として発光ダイオードを用い、アクリル等などの透光性材料からなる円筒形ケースを支柱によって地上から所定高さに保持し、入射面となるこのケースの内周面に複数の凹部を形成し、この凹部に発光ダイオードを挿入し、内周面に光を拡散、反射させることで面発光させる構成としているが、光を高効率で集光し、高照度を得ることはできず、照射したくない領域を選択的に外して照明することができなかった。
一方、本願発明者らは、ＬＥＤの出力を上げることなくＬＥＤからの光を高効率で集光し、高照度を得ることのできる新規な反射板を備えた照明装置を開発している（特願２００４−３４６５４３）。この照明装置の反射板によれば、ＬＥＤからの光を特定の範囲に集中して照射することができ、照射範囲内では、高い照度で照明することが可能となった。また、この照明装置は、照射領域と非照射領域との境界が明瞭に分離する特性を有し、照射したくない領域を選択的に外して照明することが可能となった。
本発明は、上記新規の照明装置を街路灯等の照明装置の光源部に適用することで、無駄な方向への照明をなくし、必要とする所望の領域に対して選択的に照明することのできる照明装置を提供することを目的としている。
【課題を解決するための手段】
【０００５】
本発明に係る上記目的は、下記構成により達成される。
（１）照明方向を自在に変更可能な照明装置であって、複数の発光ダイオードをベース上に配設した発光部、前記発光部の光出射側に前記複数の発光ダイオードのそれぞれに対応して設けられ前記発光ダイオードの発光面が焦点位置となる放物面からなる第１反射部、及び前記第１反射部のさらに光出射側に前記発光ダイオードを挟んで前記発光ダイオードの並び方向に対して平行に一対配列され、前記発光ダイオードからの光を光出射側に向けて反射する平板状の反射面を有する第２反射部を備えた光源部と、前記光源部を一端側に支持するアームと、前記アームの他端側を回動自在に支持する光源支持部と、を具備することを特徴とする照明装置。
【０００６】
この照明装置では、ＬＥＤの出力を上げることなく、ＬＥＤからの光が高効率で集光され、照射範囲内での高照度の照明が可能となる。また、アームを回動することで、照射領域と非照射領域との境界が明瞭に分離可能となり、照射したくない領域を外し、必要とする所望の領域への選択的な照明が可能となる。
【０００７】
（２）前記光源部と該光源部を支持する前記アームからなるランプユニットが、前記光源支持部に複数本支持されたことを特徴とする（１）記載の照明装置。
【０００８】
この照明装置では、複数のランプユニットにより照明領域が拡大可能になるとともに、アームを回転させて照射領域を重ねることで、高照度の照射範囲を所望位置に配置した任意の照射パターンが形成可能となる。
【０００９】
（３）前記光源部が前記アームの軸線に対して回動自在に支持され、該光源部の回動によって光の照射方向を可変にしたことを特徴とする（１）又は（２）記載の照明装置。
【００１０】
この照明装置では、光源部がアームの軸線に対して回動されることで、光源部から出射される指向性のある照明光が任意の方向に向けられるようになる。
【００１１】
（４）前記光源部の周囲を囲んで形成され前記光出射側に透光窓を有するケーシングを備えたことを特徴とする（１）〜（３）のいずれか１項記載の照明装置。
【００１２】
この照明装置では、光源部がケーシングに包囲され、雨風からの影響が遮断されながら、透光窓からの照明光の出射が可能となる。これにより、高照度の照明光の出射が確保されつつ、耐侯性が高められ、耐久性が向上される。
【００１３】
（５）前記光源部と前記アームとを着脱自在に接続するジョイントを備えたことを特徴とする（１）〜（４）のいずれか１項記載の照明装置。
【００１４】
この照明装置では、光源部における発光ダイオード等の交換の際、ジョイントで例えばケーシングと共に光源部がアームから脱着可能となり、小単位での分離が可能となる。これにより、光源部の容易な交換が可能となり、メンテナンス性が向上される。
【００１５】
（６）前記第１反射部と前記第２反射部の少なくともいずれかの反射面が、なし地状に形成されたことを特徴とする（１）〜（５）のいずれか１項記載の照明装置。
【００１６】
この照明装置では、発光ダイオードから出射された光がなし地状の発光面によって反射されることで、光の拡散効果が得られ、照射領域の拡大とともに、均一な照明光の照射が可能となる。
【発明の効果】
【００１７】
本発明に係る照明装置によれば、放物面の第１反射部、及び平板状反射面の第２反射部を有する光源部と、この光源部を一端側に支持するアームと、アームの他端側を回動自在に支持する光源支持部とを備え、照明方向を自在に変更可能としたので、ＬＥＤの出力を上げることなくＬＥＤからの光を高効率で集中し、照射範囲内で高照度の照明が可能となり、また、照射領域と非照射領域との境界を明瞭に分離し、照射したくない領域を外して必要とする所望の領域に選択的に照明することができる。この結果、照明エネルギーを高効率に利用できるようになり、光公害問題を解決できるとともに、ＣＯ2発生の削減にも寄与できる。
【発明を実施するための最良の形態】
【００１８】
以下、本発明に係る照明装置の好適な実施の形態について、図面を参照して詳細に説明する。
図１は本発明に係る照明装置の正面図である。
本実施の形態による照明装置１００は、複数のランプユニット１１が光源支持部１３に設けられる。ランプユニット１１は、光源部１５と、この光源部１５を一端側に支持するアーム１７とからなる。光源部１５は、後に詳述する照明ユニット１９と、この照明ユニット１９の周囲を囲むケーシング２１とからなる。ケーシング２１は、例えばアルミパイプ等のチューブ部材２３と、このチューブ部材２３の先端を封止するエンドキャップ２５と、基端を封止する連結キャップ２７と、チューブ部材２３の光照射窓に配設される透明カバー材２９とからなる。
【００１９】
図２はランプユニットの縦断面視を（ａ）、下面視を（ｂ）に表したランプユニットの構成図である。
エンドキャップ２５は、チューブ部材２３の先端に螺合或いは接着剤によって外嵌される。エンドキャップ２５とチューブ部材２３との嵌合部は、シーリングにより防水・防塵シールされる。連結キャップ２７は、リング材２７ａと、キャップ２７ｂとからなる。リング材２７ａは、内周面の軸線方向中央部に周方向に連続する段部３１が突設され、一端側から内側に挿入されたチューブ部材２３の基端がこの段部３１に当接される。チューブ部材２３の基端外周とリング材２７ａ内周とは、螺合或いは接着剤によって嵌合され、その嵌合部がシーリングにより防水・防塵シールされる。
【００２０】
リング材２７ａの他端内周には雌ねじ３３が形成され、リング材２７ａはこの雌ねじ３３に、キャップ２７ｂの外周に形成された雄ねじ３５を螺合させて連結される。すなわち、リング材２７ａとキャップ２７ｂとは、ジョイント３７を構成している。ジョイント３７は、螺合解除されることで、リング材２７ａがチューブ部材２３側となり、キャップ２７ｂがアーム１７側となって分離される。これにより、光源部１５とアーム１７とが着脱自在に接続される。したがって、光源部１５における発光ダイオード等の交換の際、ジョイント３７で例えばケーシング２１と共に光源部１５がアーム１７から脱着可能となり、小単位での分離が可能となる。その結果、光源部１５の容易な交換が可能となり、メンテナンス性が向上されるようになっている。
【００２１】
図３は図２（ｂ）のＡ−Ａ断面図である。
照明ユニット１９を内蔵したチューブ部材２３には、照明ユニット１９の光出射開口部３９の部分に上記の透明カバー材２９が取り付けられている。したがって、ケーシング２１には透明カバー材２９によるスリット状の透光窓４３が形成され、この透光窓４３に光出射開口部３９が配置されている。
【００２２】
光源部１５は、このようにしてケーシング２１に包囲されることで、雨風からの影響が遮断されながら、透光窓４３からの照明光の出射が可能となる。これにより、高照度の照明光の出射が確保されつつ、耐侯性が高められ、耐久性が向上されるようになっている。
【００２３】
ここで、ジョイント３７の構造を詳細に説明する。
図４は連結状態を（ａ）、取り外し状態を（ｂ）に表したアームとジョイントとの接続説明図である。
ジョイント３７のキャップ２７ｂには雌ねじ４５が形成される。アーム１７の先端には雄ねじ４７が形成されている。また、アーム１７先端の雄ねじ４７には、出射角度調整用ナット４９が螺合されている。光源部１５は、キャップ２７ｂの雌ねじ４５に、アーム１７の雄ねじ４７を螺合することで、アーム１７の先端に支持固定される。この際、光源部１５は、アーム１７に対する任意の回転角度で、出射角度調整用ナット４９がキャップ２７ｂ側へ締め付けられることで、回転が規制され、所望の回転向きでアーム１７の先端に固定されるようになっている。
【００２４】
このように、光源部１５は、アーム１７の軸線に対して回動自在に支持され、回動によって光の照射方向を可変にしたので、出射される指向性のある照明光が任意の方向に向けられるようになっている。
【００２５】
なお、アーム１７と光源部１５とは、上述したように、ジョイント３７のリング材２７ａとキャップ２７ｂとで連結・連結解除可能としたが、図４（ｂ）に示すように、キャップ２７ｂとアーム１７先端の雄ねじ４７とで連結・連結解除可能としてもよい。
【００２６】
アーム１７の基端にはフランジ部１７ａ（図２参照）が形成される。図１に示すように、箱状に形成された光源支持部１３の上面にはアーム１７の基端外径より大きくかつフランジ部１７ａの外径より小さいアーム固定穴５１が穿設される。また、アーム１７の基端には雄ねじ５２が形成されている。したがって、アーム１７は、基端をアーム固定穴５１に挿入し、その先端に取り付け用ナット５３を螺合することで、フランジ部１７ａと取り付け用ナット５３とでアーム固定穴５１の周縁を挟持して、光源支持部１３に固定される。そして、光源支持部１３は、取り付け用ナット５３を緩め、所望の向きにアーム１７を回動（旋回）させた後、取り付け用ナット５３を締めることで、アーム１７の基端側を任意の回動角度で支持固定できるようになっている。
【００２７】
光源支持部１３には後述する駆動部５５が、防水ケース５７の内側に収容される。照明ユニット１９に接続された給電ケーブル５９は、アーム１７内に挿通され、防水ケース５７内に引き込まれて駆動部５５の二次側出力端子６１に接続される。駆動部５５の一次電源端子６３には電源線６５が接続され、電源線６５は防水ケース５７を貫通して光源支持部１３の外部へと導出される。
【００２８】
照明装置１００では、光源部１５とこの光源部１５を支持するアーム１７からなるランプユニット１１が、光源支持部１３に複数本（本実施の形態では一例として３本）支持されている。このように複数のランプユニット１１を備えることで、照明領域が拡大可能になっている。また、アーム１７を回転させて照射領域を重ねることで、高照度の照射範囲を所望位置に配置した任意の照射パターンが形成可能となっている。
【００２９】
次に、照明ユニット１９について説明する。
図５は本発明に係る照明装置の光源部の全体構成図である。
照明ユニット１９には上記の駆動部５５が接続される。駆動部５５は、照明ユニット１９に発光駆動電力を供給するものであり、例えばフルレンジトランス等を用いることができる。駆動部５５は商用電源に接続し、商用電源からの例えばＡＣ１１０Ｖ〜２２０Ｖ、５０Ｈｚ〜６０Ｈｚ等の電力を、ＤＣ１２Ｖ（ＤＣ６ＶやＤＣ２４Ｖ等の任意の電圧、或いは交流であってもよい）の駆動電圧に変換して照明ユニット１９に供給する。
【００３０】
照明ユニット１９は、後板６７と、多数個のＬＥＤ６９を基台である配線基板７１上に直線的に配設した発光部７３と、反射鏡部材７５とを有して構成されている。後板６７は、反射鏡部材７５との間に配線基板７１を挟み込んで反射鏡部材７５に着脱自在に組み付けられる。
【００３１】
図６に照明ユニットの側面図（ａ）、下面図（ｂ）、図７に照明ユニットの分解斜視図を示した。
照明ユニット１９は、図６（ａ）に示すように、反射鏡部材７５に後板６７を組み付けた状態で高さＨを有する。高さＨは、本実施形態においては概ね２０ｍｍ程度であり、発熱電球や蛍光灯等を光源として用いた場合と比較して大幅に薄型化されている。なお、高さＨは、小さすぎると反射鏡部材７５の偏向特性が損なわれ、大きすぎると設置スペースを要して本照明ユニット１９の配置自由度が高められない。そのため、高さＨは１５〜３０ｍｍ程度、特に２０〜２３ｍｍ程度とすることが望ましい。
【００３２】
反射鏡部材７５は、長尺板状の取付基部７７（図７参照）と、取付基部７７に接続され、図６（ｂ）に示すように、中心位置に開口を有し光出射側が解放側となる放物面からなる反射面（放物面鏡）７９ａを複数個（本実施形態においては合計１６個）形成した第１反射部７９と、第１反射部７９のさらに光出射側に設けられ、放物面鏡７９ａの並び方向に平行な平板状の反射面（平面板鏡）８１ａを形成した第２反射部８１とを一体に有する。第２反射部８１は、放物面鏡７９ａの並び方向とは直交する方向に平面板鏡８１ａが一対形成されたもので、並び方向両脇は、第１反射部７９の放物面鏡を延長した放物面壁８１ｂで接続されている。反射鏡部材７５は、射出成形により一体成形された樹脂成形品であって、少なくとも第１反射部７９と第２反射部８１の光反射面にはアルミ蒸着等による鏡面のコーティング加工が施されている。また、光反射面としては、これに限らず、他の常套手段が利用可能である。
【００３３】
後板６７は、図７に示すように、縦断面が“く”の字状の傘部８３と、傘部８３の内側面に配線基板７１の背面側を支持するリブ８５と、傘部８３の長手方向の複数箇所（本実施形態においては５箇所）に反射鏡部材７５と係合するロック爪８７が配設されてなる。ロック爪８７は、図中上下一対の縦断面が“コ”の字状のフック形状に形成されている。
【００３４】
配線基板７１は、例えばプリント基板であり、反射鏡部材７５側に長手方向に沿って個々の放物面鏡７９ａに対応して複数個（ここでは１６個）のＬＥＤ６９が直線状に実装されている。そして、配線基板７１の一端側からは給電ケーブル５９が引き出され、駆動部５５（図１参照）に接続されている。配線基板７１は、片面実装モジュールのために、障害発生時に問題点を発見し易く、メンテナンス性に優れた安全なモジュールである。
【００３５】
反射鏡部材７５は、長尺平板状に形成された取付基部７７の両端に照明ユニット１９の固定用のブラケット４１が形成されており、取付基部７７の長手方向に直交して、後板６７のロック爪８７が係合する係合部８９を設けてある。係合部８９は、配線基板７１を後板６７とで挟み込み、後板６７のロック爪８７とのスナップアクションにより脱着自在に組み合わせられる。
【００３６】
反射鏡部材７５、配線基板７１、後板６７を組み合わせたとき、第１反射部７９の放物面鏡の焦点位置にＬＥＤ６９の発光面が位置することになる。これはつまり、反射鏡部材７５には、配線基板７１表面に当接する面が離散的に配置されており、この当接面を、ＬＥＤ６９の発光面が放物面鏡の焦点位置となる高さに形成している。また、配線基板７１が反射鏡部材７５に形成された基板収容位置に納まる際、後板６７のリブ８５は、この当接面に配線基板７１を押圧するようにその高さが設定されている。
【００３７】
従って、反射鏡部材７５、配線基板７１、後板６７を単に組み合わせるだけで、放物面鏡の焦点位置とＬＥＤ６９の発光面の位置が簡単にして高精度で一致することになる。この構成により、例えばねじ等の締結手段を用いることなく簡単に組み付けでき、部品点数を減らして、組立や調整のための工程を軽減でき、生産性の向上が図られる。
【００３８】
次に、上記構成の照明ユニット１９に対する光学的特性について説明する。
図８は図６に示す照明ユニットのＢ−Ｂ断面図である。
照明ユニット１９の反射鏡部材７５は、第１反射部７９と第２反射部８１とが連続して形成されており、第１反射部７９の基端部には、ＬＥＤ６９の発光面を放物面鏡７９ａの焦点位置に配置させるための開口９１が設けてある。第１反射部７９の放物面鏡７９ａは、ＬＥＤ６９の発光面を焦点位置とする放物面からなる反射面を有しており、ＬＥＤ６９からの光を光出射側に向けて略平行化して反射する。
【００３９】
また、第２反射部８１は、第１反射部７９のさらに光出射側に設けられ、放物面鏡７９ａの配列方向、即ち、ＬＥＤ６９の配列方向に対して平行に配置された平板状の平面板鏡８１ａを有している。そして、第１反射部７９に照射されなかったＬＥＤ６９からの光を受けて、光出射側に向けて略平行化して反射する。第１反射部７９は、予め定められた反射面領域Ｍ１を有し、第２反射部８１は、反射面領域Ｍ１に連続して予め定められた反射面領域Ｍ２を有するために、第１，第２反射部７９，８１によって反射された光は、大きな光量の平行光となって被照明物に照射されることになる。
【００４０】
平面板鏡８１ａのＬＥＤ６９の光軸に対する傾斜角度は、第１反射部７９に照射されなかったＬＥＤ６９からの光束が平行光化する角度に設定される。本実施形態の場合は、ＬＥＤ６９の光軸に対して２０゜〜２７゜の範囲で傾斜角度が設定されている。
【００４１】
ここで、ＬＥＤ６９は、例えば１２０°等の広い照度角を有しており、出射した光のうち、側方へ向いて出射した光成分が増加しても、第１反射部７９、第２反射部８１に捕らえられて、平行光化に寄与する割合が高くなる。これにより、照度分布の均一化効果が一層高められる。
【００４２】
次に、上記構成の照明ユニット１９による照度分布について説明する。
図９は照明ユニットによる照度分布を示すグラフである。
図９に示すように、ＬＥＤ６９から直接的に照射される光成分と、第１反射部７９、第２反射部８１による反射を伴って到達した光成分からなる範囲Ｗにおける光量は、他の領域と比較して、その境界が明瞭に現れている。これは、範囲Ｗ内に集光されて、かつ光束が略平行光とされ、放射照度が高い状態になっているためである。
【００４３】
また、ＬＥＤ６９の発光面は、ＬＥＤ６９の素子の中央部であり、この発光面は、第１反射部７９の放物面鏡７９ａの全面に像を映出する。また、第２反射部８１の双方の平面板鏡８１ａ，８１ａにも発光面の像を映出する。つまり、第１反射部７９だけではＬＥＤ６９からの直接照射される光の成分が拡散により広がってしまうが、第２反射部７９の平面板鏡８１ａにより、拡散して広がる光成分を偏向して平行光化する。この作用により、得られる光束の放射照度が高くなり、範囲Ｗ内の照度分布を高く均一にすることができ、その結果、範囲Ｗの境界が明瞭に見えることになる。
【００４４】
次に、上記した照明装置１００の光源部１５における性状を説明する。
図１０は照度特性の照射距離と水平距離との相関を表したグラフ、図１１は配光特性の光度と角度との相関を表したグラフ、図１２は相対分光分布の相対強度と波長との相関を表したグラフである。図１１において、横軸の角度は、測定器に対し照明ユニット１００の光出射面の中心軸を回転軸として左右対称に９０度回転した結果を表記したものであり、実線はランプユニット１１の長手方向に平行な軸を回転軸とし、波線はこの回転軸とは直交する方向の軸を回転軸として計測した結果を表している。
・ＬＥＤ数  １６個
・反射鏡部材７５の外形寸法
縦２３．８ｍｍ、横２６４ｍｍ、高さ(Ｈ)１６．２５ｍｍ
【００４５】
上記構成の光源部１５によれば、下記の基本特性が実験的に得られる。
・直線照射距離（光源位置から１ lx以上の照度が得られる位置までの最大距離）    ３０ｍ以上
・光点直下照度（光点直下距離２ｍの地点における照度）
約５０ ｌｘ／ｍ2
・電気的特性
１２Ｖ駆動時（ＤＣ）  ０．０９Ａ  １．１ｗｈ／本
２４Ｖ駆動時（ＤＣ）  ０．０８Ａ  １．９２ｗｈ／本
・光学的特性
全光束（１２Ｖ駆動時）  ４３．３ ｌｍ
全光束（２４Ｖ駆動時）  ４８．８ ｌｍ
【００４６】
特に、光点直下距離２ｍの地点における照度光点直下照度は、図１０に示すように、水平距離（ケーシング２１の軸線に直交する方向の距離）０．４ｍの照射範囲で、約５０ ｌｘ／ｍ2が得られる。
配光特性は、図１１に示すように、光源部１５の軸線回りの回転角度範囲−１０〜１０°で、光度５０〜３８０ｃｄの領域が得られる。
相対分光分布は、図１２に示すように、４５０〜４８０ｎｍの青色波長領域の光と、５６０ｎｍを中心とする黄色波長領域が高強度に得られ、これらの光によって白色光が生成される。これによれば、昆虫の好む３６５ｎｍ〜４１０ｎｍの波長域の光を含まないので、蛾や蚊等の害虫が寄りにくい街路灯を実現できる。
【００４７】
次に、上記照明装置１００の使用態様を説明する。
図１３はアームの回動によって得られる異なる照射領域を（ａ），（ｂ）で表した説明図である。
上記した実施の形態による照明装置１００では、図１３（ａ）に示すように、光源部１５の地上からの高さに応じて、照射領域Ｓ１，Ｓ２，Ｓ３が連続するようにアーム１７の回転角度を設定することで、ＬＥＤ６９の出力を上げることなく、ＬＥＤ６９からの光が高効率で集光され、照射範囲Ｓ１，Ｓ２，Ｓ３内での高照度の照明が可能となる。
また、図１３（ｂ）に示すように、アーム１７を回転することで、照射領域Ｓ１，Ｓ２，Ｓ３と非照射領域１０１との境界が明瞭に分離可能となり、照射したくない領域を外し、必要とする所望の領域への選択的な照明が可能となる。
【００４８】
図１４は光源部の軸線回りの回動による照射領域の変化を表した説明図である。
図１４に示すように、光源部１５は、アーム１７に対する軸線回りの方向（図１４の矢印ａ方向）で回動されることで、光の照射方向が同図の左右へ変化する。これにより、出射される指向性のある照明光が任意の方向に向けられ、照射領域Ｓ１が照射領域Ｓ１ａ，Ｓ１ｂ又はＳ１ｃに変更可能となる。
【００４９】
図１５は照射領域の設定の様子を表した説明図である。
アーム１７を基端部で矢印ｂ方向に旋回させて、図１３（ａ）に示す照射状態にしてから、光源部１５をアーム１７の軸線に対してａ方向に回動させることで、照射領域Ｓ１，Ｓ２を重ね合わせ、高照度の照射範囲ＳＳを所望の位置に配置した任意の照射パターンＰを形成できる。
【００５０】
図１６は本発明に係る照明装置が街路灯として用いられた場合の照射領域の例を表す説明図である。
従来の街路灯は、照明する領域を選択的に設定することが難しいが、本発明の照明装置では簡単に設定することができる。
本照明装置１００の照射方向の自在性を利用すると、図１６に示すように、照射領域Ｓ１，Ｓ２，Ｓ３と非照射領域１０１との境界を明瞭に分離し、照射したくない領域（非照射領域１０１）を外して必要とする所望の領域（照射領域Ｓ１，Ｓ２，Ｓ３）に選択的に照明することができる。住宅に近接して街灯を設置する場合は、路面を中心に照射して住宅に対しては眩しくない配慮が必要となるが、この照明装置１００によれば、光源部１５からの光の全てが有効に利用され、漏れ光となって付近の建物を照らすことがなく、窓１０３から寝室や居間の中に照明光が入り込むために、わざわざ遮光カーテンやブラインドを下ろす必要もなくなる。
【００５１】
図１７は光源部を増設して環状の照射領域を形成した例の説明図である。
また、照明装置１００は、設置条件に応じて光源部１５を３本以上で構成することができる。図１７に示すように、照射領域Ｓ１，Ｓ２，Ｓ３，Ｓ４，Ｓ５，Ｓ６，Ｓ７，Ｓ８が連続するように、光源部１５が放射状に配設されるものであってもよい。このような構成とすることにより、照明装置１００Ａの下方に、環状の照射領域ＳＫを形成することができる。
【００５２】
上記の説明では、本照明装置を主に街路灯に用いた例を説明したが、本照明装置はこれに限らず、屋内用として用いることもできる。
図１８は本発明に係る照明装置を室内用に用いた場合の例を（ａ），（ｂ）に表した説明図である。
照明装置１００は、室内の壁部１０５に光源支持部１３を固定し、各光源部１５からの出射光を壁部１０５の上方へ照射することで、間接照明装置としても利用することができる。この場合、アーム１７を壁部１０５の面から所定角度αで傾斜させることにより、照射領域Ｓ１，Ｓ２，Ｓ３が照射中心部と照射両脇部とで光度差の生じた状態で照らされて、高い演出性が得られる。
【００５３】
このように、屋外用及び屋内用に用いられる本照明装置１００は、その変形例として、鏡面反射部材の反射面をなし地状に荒らして形成してもよい。すなわち、第１反射部７９と第２反射部８１とは、少なくともいずれかの反射面を、なし地状に形成することができる。この構成によれば、図９に示す場合と比較して最大照度が若干低下するが、光の拡散効果が高くなり、照度が均一となる範囲が広くなって、一台の照明ユニット１９により広範囲の照明を行うことが可能となる。
【００５４】
したがって、上記の照明装置によれば、照明範囲を自在に変更可能としたので、ＬＥＤ６９の出力を上げることなくＬＥＤ６９からの光を高効率で集中させ、照射範囲内で高照度の照明を可能にできるとともに、照射領域Ｓ１，Ｓ２，Ｓ３と非照射領域１０１との境界を明瞭に分離し、照射したくない領域を外して必要とする所望の領域に選択的に照明することができる。その結果、照明エネルギーを高効率に利用できるようになり、光公害問題を解決できるとともに、ＣＯ2発生の削減に寄与できる。
【図面の簡単な説明】
【００５５】
【図１】本発明に係る照明装置の正面図である。
【図２】ランプユニットの縦断面視を（ａ）、下面視を（ｂ）に表したランプユニットの構成である。
【図３】図２（ｂ）のＡ−Ａ断面図である。
【図４】連結状態を（ａ）、取り外し状態を（ｂ）に表したアームとジョイントとの接続説明図である。
【図５】本発明に係る照明装置の光源部を示す全体構成図である。
【図６】照明ユニットの側面図（ａ）、下面図（ｂ）である。
【図７】照明ユニットの分解斜視図である。
【図８】図６に示す照明ユニットのＢ−Ｂ断面図である。
【図９】照明ユニットによる照度分布を示すグラフである。
【図１０】照度特性の照射距離と水平距離との相関を表したグラフである。
【図１１】配光特性の光度と角度との相関を表したグラフである。
【図１２】相対分光分布の相対強度と波長との相関を表したグラフである。
【図１３】アームの回動によって得られる異なる照射領域を（ａ），（ｂ）で表した説明図である。
【図１４】光源部の軸線回りの回動による照射領域の変化を表した説明図である。
【図１５】照射領域の設定の様子を表した説明図である。
【図１６】本発明に係る照明装置が街路灯として用いられた場合の照射領域の例を表す説明図である。
【図１７】光源部を増設して環状の照射領域を形成した例の説明図である。
【図１８】本発明に係る照明装置を室内用に用いた場合の例を（ａ），（ｂ）に表した説明図である。
【符号の説明】
【００５６】
１１  ランプユニット
１３  光源支持部
１５  光源部
１７  アーム
２１  ケーシング
３７  ジョイント
４３  透光窓
６９  ＬＥＤ（発光ダイオード）
７９  第１反射部
８１  第２反射部
１００  照明装置
【図１】
2007066658.tif 000003
【図２】
2007066658.tif 000004
【図３】
2007066658.tif 000005
【図４】
2007066658.tif 000006
【図５】
2007066658.tif 000007
【図６】
2007066658.tif 000008
【図７】
2007066658.tif 000009
【図８】
2007066658.tif 000010
【図９】
2007066658.tif 000011
【図１０】
2007066658.tif 000012
【図１１】
2007066658.tif 000013
【図１２】
2007066658.tif 000014
【図１３】
2007066658.tif 000015
【図１４】
2007066658.tif 000016
【図１５】
2007066658.tif 000017
【図１６】
2007066658.tif 000018
【図１７】
2007066658.tif 000019
【図１８】
2007066658.tif 000020